(57)【特許請求の範囲】
【請求項１】
以下の構造式（１）で表されるアントラセン誘導体からなることを特徴とする有機エレクトロルミネッセント素子用有機化合物。
【化１】
0003728309.tif 000019
【請求項２】
請求項１に記載の有機化合物を発光材料として用いたことを特徴とする有機エレクトロルミネッセント素子。
【発明の詳細な説明】
【技術分野】
【０００１】
本発明は、有機エレクトロルミネッセント素子及び有機エレクトロルミネッセント素子用有機化合物に関するものであり、特に青色発光層を備えた有機エレクトロルミネッセント素子及び青色発光材料として用いることができる有機エレクトロルミネッセント素子用有機化合物に関するものである。
【背景技術】
【０００２】
有機エレクトロルミネッセント素子は、ホール注入電極から注入されたホールと電子注入電極から注入された電子とが、発光層とキャリア輸送層との界面や発光層内で再結合して発光する素子であり、無機エレクトロルミネッセント素子に比べて、低い電圧で駆動できるため、平面表示ディスプレイとして近年特に注目されている。
【０００３】
有機エレクトロルミネッセント素子においては、発光材料を選択することによって適当な色彩に発光する発光素子とすることができ、マルチカラーやフルカラーの表示装置として期待されている。
【０００４】
有機エレクトロルミネッセント素子においては、高い輝度で、発光効率が高く、かつ信頼性に優れたものが求められている。特許文献１においては、赤色発光層または緑色発光層を備えた有機エレクトロルミネッセント素子において、キャリア輸送層及び／または発光層にキャリア輸送用または励起エネルギー移動用のドーパントをドープさせることにより、発光特性及び寿命が改善されることが開示されている。
【特許文献１】特開２０００−１６４３６２号公報
【発明の開示】
【発明が解決しようとする課題】
【０００５】
しかしながら、青色発光層を備えた有機エレクトロルミネッセント素子においては、具体的に検討されておらず、発光効率及び信頼性を向上させることができる青色発光層を備える有機エレクトロルミネッセント素子が求められている。
【０００６】
本発明の目的は、発光効率及び信頼性等に優れた青色発光層を備える有機エレクトロルミネッセント素子及び青色発光材料として用いることができる有機エレクトロルミネッセント素子用有機化合物を提供することにある。
【課題を解決するための手段】
【００１７】
本発明の有機エレクトロルミネッセント素子用有機化合物は、以下の構造式（１）で表されるアントラセン誘導体（以下、ＤＢｚＡという場合がある）からなることを特徴としている。
【００１８】
【化１】
0003728309.tif 000002
【００１９】
上記の有機化合物は、有機エレクトロルミネッセント素子の発光材料として用いることができ、例えば、上記本発明の発光性ドーパントとして用いることができる。
【００２０】
上記有機化合物は、青色の発光材料として用いることができるものである。
【発明の効果】
【００２１】
本発明によれば、発光効率及び信頼性等に優れた青色発光層を備える有機エレクトロルミネッセント素子とすることができる。
【発明を実施するための最良の形態】
【００２２】
以下、本発明を実施例によりさらに詳細に説明するが、本発明は以下の実施例により限定されるものではなく、その要旨を変更しない範囲において適宜変更して実施することが可能なものである。
【００２３】
＜ホスト材料＞
実施例及び比較例においては、以下の構造式（２）で表されるアントラセン誘導体（以下、ＤＮＡという）をホスト材料として用いた。
【００２４】
【化２】
0003728309.tif 000003
【００２５】
ホスト材料として用いられる他のアントラセン誘導体としては、例えば、上記構造式（２）においてＣ（ＣＨ3)3の置換基を他の置換基に変えたもの、並びに上記置換基及び他の置換基の置換位置を変えたものなどが挙げられる。
【００２６】
＜発光性ドーパント＞
実施例及び比較例においては、上記のＤＢｚＡ、並びに以下の構造式（３）で表されるペリレン誘導体、及び以下の構造式（４）で表されるオキサジアゾール誘導体を発光性ドーパントとして用いた。
【００２７】
【化３】
0003728309.tif 000004
【００２８】
【化４】
0003728309.tif 000005
【００２９】
発光性ドーパントとして用いられるアントラセン誘導体としては、例えば、上記ＤＢｚＡにおいて、置換基ＣＨ3を他の置換基に変えたもの、並びに上記置換基及び他の置換基の置換位置を変えたものなどが挙げられる。
【００３０】
発光性ドーパントとして用いられるペリレン誘導体としては、例えば、上記構造式（３）で表されるペリレン誘導体において、上記置換基Ｃ（ＣＨ3)3を他の置換基に変えたもの、並びに上記置換基及び他の置換基の置換位置を変えたものなどが挙げられる。
【００３１】
発光性ドーパントとして用いられるオキサジアゾール誘導体としては、例えば、上記構造式（４）で表されるオキサジアゾール誘導体において、置換基Ｎ（ＣＨ3)2を他の置換基に変えたもの、並びに上記置換基及び他の置換基の置換位置を変えたものなどが挙げられる。
【００３２】
（ＤＢｚＡの合成）
ＤＢｚＡ（９，１０−ビス（４−（６−メチルベンゾチアゾール−２−イル）フェニル）アントラセン）は、以下の式に示す反応により合成することができる。すなわち、化合物Ａ（１−ヨード−（４−（６−メチルベンゾチアゾール−２−イル）フェニル）を出発原料として用い、この化合物Ａのヨウ素をリチウムに置換し、このリチウム置換物に、アントラキノンを反応させて、化合物Ｂを合成し、この化合物Ｂの脱水反応によりＤＢｚＡを合成することができる。
【００３３】
【化５】
0003728309.tif 000006
【００３４】
（ＤＢｚＡの合成法の一例）
化合物Ａ（１０ｇ、０．０２８４ｍｏｌ）をアルゴン置換したガラス容器に採取し、乾燥したトルエン１００ｍｌを加え撹拌する。ヘキサンに溶解したｎ−ＢｕＬｉを化合物Ａに対して１．１当量加え撹拌する。アントラキノン（２．９ｇ、０．０１３９ｍｏｌ）をアルゴン置換したガラス容器に採取し、乾燥したトルエン１００ｍｌを加え撹拌する。このアントラキノン溶液に、ヨウ素をＬｉに置換した化合物Ａをゆっくりと滴下する。滴下完了後、室温で２４時間撹拌する。反応溶液を分液ロートに移し、希塩酸及び水で洗浄する。有機層に硫酸マグネシウムを加え乾燥する。乾燥剤を分離した後、溶媒を減圧下で除去する。得られた化合物Ｂをシリカゲルカラムを用いて精製する。精製した化合物ＢをＴＨＦ３００ｍｌに溶解した後、塩化錫を塩酸に溶解した溶液を加え室温で１２時間撹拌する。反応溶液を分液ロートに移し、トルエンを加えた後、希塩酸及び水で洗浄し、硫酸マグネシウムを加え乾燥する。乾燥剤を分離し、溶媒を減圧下で除去した後、得られたＤＢｚＡをシリカゲルカラムを用いて精製する。
【００３５】
得られたＤＢｚＡのマススペクトル（ＭＡＬＤＩ−ＴＯＦＭＳ）測定による分子量は、６２４．２１４であった。また、元素分析の結果は、Ｃ：８０．８重量％、Ｈ：４．９９重量％、Ｎ：５．０３重量％（計算値Ｃ：８０．７４重量％、Ｈ：４．５２重量％、Ｎ：４．４８重量％）であった。
【００３６】
＜アシストドーパント＞
実施例においては、以下の構造式で表されるフェニルアミン誘導体（ＮＰＢ、ｍＴＰＤ、及びｐＴＰＤ）を用いた。
【００３７】
【化６】
0003728309.tif 000007
【００３８】
【化７】
0003728309.tif 000008
【００３９】
【化８】
0003728309.tif 000009
【００４０】
アシストドーパントとして用いられる他のフェニルアミン誘導体としては、例えば、ＮＰＢの構造式を骨格とした誘導体が挙げられる。
【００４１】
＜ホール注入層＞
実施例及び比較例においては、以下の構造式で表される銅フタロシアニン（以下、ＣｕＰｃという）を用いた。
【００４２】
【化９】
0003728309.tif 000010
【００４３】
＜ホール輸送層＞
実施例及び比較例においては、ＮＰＢを用いてホール輸送層を形成した。
【００４４】
＜電子輸送層＞
実施例及び比較例においては、以下の構造式で表されるトリス（８−キノリノラト）アルミニウム（以下、Ａｌｑという）を用いて電子輸送層を形成した。
【００４５】
【化１０】
0003728309.tif 000011
【００４６】
上記のホスト材料及びアシストドーパントの最高被占軌道（ＨＯＭＯ）エネルギー準位及びホール移動度を表１に示す。
【００４７】
【表１】
0003728309.tif 000012
【００４８】
ホスト材料であるＤＮＡは電子移動性材料であり、アシストドーパントであるＮＰＢ、ｍＴＰＤ、及びｐＴＰＤは、いずれもホール輸送性材料である。表１から明らかなように、上記のアシストドーパント材料は、いずれもホスト材料であるＤＮＡより絶対値の小さいＨＯＭＯエネルギー準位を有しており、ＤＮＡより高いホール移動度を有している。
【００４９】
（実施例１）
図１に示すように、ガラス基板１の上に、インジウム−錫化合物（以下、ＩＴＯという）からなる透明なホール注入電極（陽極）２を形成し、このホール注入電極２の上に、ＣｕＰｃからなるホール注入層３（膜厚１０ｎｍ）を形成した。このホール注入層３の上に、ＮＰＢからなるホール輸送層４（膜厚７５ｎｍ）を形成した。
【００５０】
ホール輸送層４の上に、ＤＮＡからなるホスト材料中に、発光性ドーパントとしてＤＢｚＡが２．５重量％含有され、アシストドーパントとしてＮＰＢが７重量％含有された青色発光層５を形成した。
【００５１】
青色発光層５の上に、Ａｌｑからなる電子輸送層６（膜厚１０ｎｍ）を形成した。電子輸送層６の上に、ＬｉＦ（膜厚１ｎｍ）及びＡｌ（膜厚２００ｎｍ）からなる電子注入電極（陰極）７を形成した。
【００５２】
上記各層は、５×１０-5Ｐａの真空中で、抵抗加熱による真空蒸着法で形成した。
【００５３】
以上のようにして作製した有機エレクトロルミネッセント素子について発光特性を評価した。発光輝度が５００ｃｄ／ｍ2の時の発光効率、電圧、及び色度を測定し、表２に測定結果を示した。
【００５４】
また、定電流連続発光における初期輝度半減期（初期輝度５００ｃｄ／ｍ2）を測定し、寿命として表２に測定結果を示した。
【００５５】
（比較例１）
実施例１において、青色発光層にアシストドーパントとしてのＮＰＢが含有されていないこと以外は、実施例１と同様にして有機エレクトロルミネッセント素子を作製し、実施例１と同様にして評価した。評価結果を表３に示す。
【００５６】
【表２】
0003728309.tif 000013
【００５７】
【表３】
0003728309.tif 000014
【００５８】
表３に示す結果から明らかなように、本発明に従い、青色発光層にアシストドーパントを含有させた実施例１の有機エレクトロルミネッセント素子は、良好な発光特性を示し、また寿命が長いことから良好な信頼性が得られている。
【００５９】
（実施例２）
表４に示すように、本実施例では、青色発光層を、第１の青色発光層と第２の青色発光層から構成し、第１の青色発光層にのみアシストドーパントを含有させている。第１の青色発光層には、７重量％のＮＰＢと、２．５重量％のＤＢｚＡが含有されており、その膜厚は１０ｎｍである。第２の青色発光層には、２．５重量％のＤＢｚＡが含有されており、その膜厚は３０ｎｍである。
【００６０】
【表４】
0003728309.tif 000015
【００６１】
本実施例の青色有機エレクトロルミネッセント素子について、実施例１と同様にして発光特性を評価した。評価結果を表５に示す。
【００６２】
【表５】
0003728309.tif 000016
【００６３】
表３に示す実施例１の結果との比較から明らかなように、本実施例のようにアシストドーパントを青色発光層の厚み方向において一部の領域にのみ含有させることにより、発光特性及び信頼性を向上させることができる。これは、アシストドーパントを発光層において特定領域に限定的に含有させることにより、発光領域に効率的にキャリアを移動させることができ、再結合確率を高めることができたことによるものと思われる。
【００６４】
（実施例３〜６及び比較例２〜３）
表６に示すように、発光層のホスト材料としてＤＮＡを用い、発光性ドーパント及びアシストドーパントとして、表６に示す化合物を表６に示す割合で含有させて各発光層を形成したこと以外は、実施例１と同様にして青色発光有機エレクトロルミネッセント素子を作製した。
【００６５】
実施例３においては、青色発光層に、発光性ドーパントとして構造式（３）のペリレン誘導体を２重量％含有させ、アシストドーパントとしてＮＰＢを７重量％含有させている。実施例４においては、青色発光層に、発光ドーパントとして構造式（４）のオキサジアゾール誘導体を２重量％含有させ、アシストドーパントとしてＮＰＢを７重量％含有させている。実施例５においては、青色発光層に、発光性ドーパントとしてＤＢｚＡを２重量％含有させ、アシストドーパントとしてｍＴＰＤを７重量％含有させている。実施例６においては、青色発光層に、発光性ドーパントとしてＤＢｚＡを２重量％含有させ、アシストドーパントとしてｐＴＰＤを７重量％含有させている。
【００６６】
比較例２においては、青色発光層に、発光性ドーパントとして構造式（３）のペリレン誘導体を２重量％含有させ、アシストドーパントを含有させていない。比較例３においては、青色発光層に、発光性ドーパントとして構造式（４）のオキサジアゾール誘導体を２重量％含有させ、アシストドーパントを含有させていない。
【００６７】
【表６】
0003728309.tif 000017
【００６８】
上記の各有機エレクトロルミネッセント素子について、実施例１と同様にして、発光特性及び寿命を評価した。評価結果を表７に示す。
【００６９】
【表７】
0003728309.tif 000018
【００７０】
表７に示す結果から明らかなように、本発明に従い青色発光層にアシストドーパントを含有させた実施例３〜６は、比較例２〜３に比べ、良好な発光特性及び信頼性を示すことがわかる。
なお、上述の実施例の素子構成の特徴を整理すると以下のとおりである。
第１の特徴は、ホール注入電極と電子注入電極の間に発光層が設けられた有機エレクトロルミネッセント素子であり、発光層が、青色発光層であり、該青色発光層に、ホスト材料と、発光性ドーパントと、ホスト材料のキャリア移動を補完するためのアシストドーパントが含まれている。
第２の特徴は、青色発光層に、ホスト材料と、発光性ドーパントと、アシストドーパントが含まれている。アシストドーパントは、ホスト材料のキャリア移動を補完するものであり、アシストドーパントが含まれることにより、発光層中のキャリア移動が促進され、キャリアの再結合の確率が高くなり、発光効率が高められる。また、信頼性も高められる。
第３の特徴の特徴は、ホスト材料は、発光層中の各構成材料の中で、一般には最も高い比率で含まれるものであり、発光層の成膜化を容易にし、発光層の膜を支持する役割を果たす。従って、ホスト材料には、成膜後に結晶化が起こりにくく、化学変化が起こりにくい安定した化合物であることが求められる。また、電極間に通電した際には、一般に、ホスト分子内でキャリアの再結合が起こり、その励起エネルギーを発光性ドーパントに移動させて発光性ドーパントを発光させる役割を有している。
第４の特徴は、発光性ドーパントは、蛍光または燐光を有する化合物であり、ホスト分子から励起エネルギーを譲り受けて励起し失活して発光する。
第５の特徴は、アシストドーパントは、ホスト材料の有するキャリア輸送性を補完し、発光層内へのキャリアの注入及び移動を促進する役割を有している。
第６の特徴は、ホスト材料が電子移動性材料である場合、すなわち電子移動及びホール移動のうち電子移動が優先して生じる材料である場合には、アシストドーパントとしては、ホール移動性材料が用いられる。ホール移動性材料とは、電子移動及びホール移動のうちホール移動が優先して生じる材料である。一方、ホスト材料がホール移動性材料である場合には、アシストドーパントとして電子移動性材料が用いられる。発光層にホール移動性材料、電子輸送性材料という相反する性質を持つ材料を混在させることにより、発光層自体をバイポーラ、すなわち両キャリア輸送性にする。このことにより、発光層内の再結合確率を高め、発光効率を向上させる。
第7の特徴は、アシストドーパントとしてのホール移動性材料は、ホスト材料より絶対値の小さい最高被占軌道（ＨＯＭＯ）エネルギー準位を有し、かつホスト材料より高いホール移動度を有することが好ましい。また、アシストドーパントとしての電子移動性材料は、ホスト材料より、絶対値の大きい最低空軌道（ＬＵＭＯ）エネルギー準位を有し、かつホスト材料より高い電子移動度を有することが好ましい。
第８の特徴は、電子移動性のホスト材料としては、アントラセン誘導体が挙げられる。この場合、上述のようにアシストドーパントとしてはホール移動性材料が用いられる。ホール移動性のアシストドーパントとしては、フェニルアミン誘導体が挙げられる。また、この場合に用いられる発光性ドーパントとしては、ペリレン誘導体、オキサジアゾール誘導体、またはアントラセン誘導体などが挙げられる。
第９の特徴は、本発明において、アシストドーパントは、青色発光層の厚み方向において一部の領域にのみ含まれていてもよい。すなわち、青色発光層において、ホスト材料と、発光性ドーパントと、アシストドーパントが含まれる領域が、青色発光層の厚み方向における一部の領域だけであってもよい。この場合、他の領域においては、ホスト材料と発光性ドーパントのみが含まれる。このようにアシストドーパントが含まれる領域を限定することにより、発光領域に効率的にキャリアを移動させることができ、再結合確率を向上させて、発光効率を向上させることができる。
第１０の特徴は、青色発光層の発光ピーク波長は、４５０ｎｍ〜５２０ｎｍの範囲内であることが好ましく、発光色として青色〜青緑色であることが好ましい。
【図面の簡単な説明】
【００７１】
【図１】本発明の実施例において作製した有機エレクトロルミネッセント素子を示す模式的断面図。
【符号の説明】
【００７２】
１…基板
２…ホール注入電極（陽極）
３…ホール注入層
４…ホール輸送層
５…青色発光層
６…電子輸送層
７…電子注入電極（陰極）
【図１】
0003728309.tif 000020